(57)【要約】      （修正有）【課題】ユーザにとって価値の有る特典を付与することで、カードの利用を促進可能とする特典付与サーバ及び方法を提供する。【解決手段】特典付与サーバ１０は、カードを利用したユーザに特典を付与し、特定のユーザに視聴され又は読まれている特定コンテンツに関連した特定カードを、特定のユーザに発行する発行手段１０１と、特定のユーザに、特定カードの利用に応じて、特定コンテンツに関連した特典である特定コンテンツ特典を付与する特典付与手段１０３と、を備える。【選択図】図２
2017068421.tif 000002
【特許請求の範囲】
【請求項１】
カードを利用したユーザに特典を付与する特典付与サーバであって、
特定のユーザに視聴され又は読まれている特定コンテンツに関連した特定カードを、前記特定のユーザに発行する発行手段と、
前記特定のユーザに、前記特定カードの利用に応じて、前記特定コンテンツに関連した前記特典である特定コンテンツ特典を付与する特典付与手段と、を備えることを特徴とする特典付与サーバ。
【請求項２】
前記特典付与手段は、前記特定のユーザによる前記特定カードの利用状況に応じて、前記特定コンテンツ特典の内容を変化させることを特徴とする請求項１に記載の特典付与サーバ。
【請求項３】
前記特典付与手段は、前記特定のユーザに関する情報であるユーザ情報を関連させた前記特定コンテンツ特典を付与することを特徴とする請求項１又は２に記載の特典付与サーバ。
【請求項４】
前記特定のユーザに使用されるユーザ端末に、前記特定コンテンツ特典の内容を表示させるための特定コンテンツ特典情報を生成する特典情報生成手段を、更に備え、
前記特典情報生成手段は、前記ユーザ端末において、カレンダ形式で前記特定コンテンツ特典の内容を表示可能な前記特定コンテンツ特典情報を生成することを特徴とする請求項１から３までのいずれか１項に記載の特典付与サーバ。
【請求項５】
カードを利用したユーザに特典を付与する特典付与サーバが実行する特典付与方法であって、
特定のユーザに視聴され又は読まれている特定コンテンツに関連した特定カードを、前記特定のユーザに発行する発行ステップと、
前記特定のユーザに、前記特定カードの利用に応じて、前記特定コンテンツに関連した前記特典である特定コンテンツ特典を付与する特典付与ステップと、を含むことを特徴とする特典付与方法。
【発明の詳細な説明】
【技術分野】
【０００１】
本発明は、特典付与サーバ及びその方法に関する。
【背景技術】
【０００２】
従来、ユーザに利用されるカードの一例であるクレジットカードは、現実の店舗においては掲示するだけ、またインターネット上の店舗においては番号を入力するだけで商品等の対価を支払うことができるため、クレジットカードのユーザに利用されている。
【０００３】
近年、このようなクレジットカードを提供するクレジットカード会社は、クレジットカードの利用に応じて、様々な特典をユーザに付与することで、クレジットカードの利用を促進している。
【０００４】
このようなクレジットカードの利用に応じた特典を付与する技術として、クレジットカード処理が行われた際に、各種非接触カード機能用コンテンツデータの中から当該クレジットカード処理が行われた際の状況に対応した配信バリエーションを抽出し、移動体端末に配信する技術が提案されている（特許文献１参照）。このような技術によれば、クレジットカード処理が行われた際に、クレジットカード処理が行われた際の状況に対応したバリエーションのコンテンツデータを、特典として移動体端末を操作するユーザに付与することが可能となる。
【先行技術文献】
【特許文献】
【０００５】
【特許文献１】特許第４９３８０９６号公報
【発明の概要】
【発明が解決しようとする課題】
【０００６】
しかしながら、付与された特典のコンテンツが、ユーザにとって興味が無いものである場合、ユーザは、興味の無いコンテンツを得るために、積極的にクレジットカードを利用しようとは思わない。このため、特典を付与する者（例えば、クレジット会社や店舗等）が一方的に、特典の内容であるコンテンツを決めていては、特典がユーザにとって価値の無いものとなり、特典を付与することでクレジットカードの利用を促進することができない場合がある。
【０００７】
したがって、本発明では、上記のような観点から、ユーザにとって価値の有る特典を付与することで、カードの利用を促進可能とすることを目的とする。
【課題を解決するための手段】
【０００８】
上記課題を解決するため、本発明は、以下のような解決手段を提供する。
【０００９】
（１）本発明の第１の態様では、カードを利用したユーザに特典を付与する特典付与サーバであって、特定のユーザに視聴され又は読まれている特定コンテンツに関連した特定カードを、前記特定のユーザに発行する発行手段と、前記特定のユーザに、前記特定カードの利用に応じて、前記特定コンテンツに関連した前記特典である特定コンテンツ特典を付与する特典付与手段と、を備えることを特徴とする。
【００１０】
（２）また、本発明は、（１）の特典付与サーバにおいて、前記特典付与手段は、前記特定のユーザによる前記特定カードの利用状況に応じて、前記特定コンテンツ特典の内容を変化させるようにしてもよい。
【００１１】
（３）また、本発明は、（１）又は（２）の特典付与サーバにおいて、前記特典付与手段は、前記特定のユーザに関する情報であるユーザ情報を関連させた前記特定コンテンツ特典を付与するようにしてもよい。
【００１２】
（４）また、本発明は、（１）から（３）までのいずれかの特典付与サーバにおいて、前記特定のユーザに使用されるユーザ端末に、前記特定コンテンツ特典の内容を表示させるための特定コンテンツ特典情報を生成する特典情報生成手段を、更に備え、前記特典情報生成手段は、前記ユーザ端末において、カレンダ形式で前記特定コンテンツ特典の内容を表示可能な前記特定コンテンツ特典情報を生成するようにしてもよい。
【００１３】
（５）本発明の第２の態様では、カードを利用したユーザに特典を付与する特典付与サーバが実行する特典付与方法は、特定のユーザに視聴され又は読まれている特定コンテンツに関連した特定カードを、前記特定のユーザに発行する発行ステップと、前記特定のユーザに、前記特定カードの利用に応じて、前記特定コンテンツに関連した前記特典である特定コンテンツ特典を付与する特典付与ステップと、を含むことを特徴とする。
【発明の効果】
【００１４】
本発明によれば、ユーザにとって価値の有る特典を付与することで、カードの利用を促進可能となる。
【図面の簡単な説明】
【００１５】
【図１】本発明の実施形態に係る特典付与システムの基本構成の概念を示す図である。
【図２】本発明の実施形態に係る特典付与システムにおける特典付与サーバ及びユーザ端末の機能構成を示す図である。
【図３】本発明の実施形態に係るユーザ情報ＤＢの一例を説明する図である。
【図４】本発明の実施形態に係る特定コンテンツ特典ＤＢの一例を説明する図である。
【図５】本発明の実施形態に係る特定コンテンツ特典の一例を説明する図である。
【図６】本発明の実施形態に係る特定コンテンツ特典の一例を説明する図である。
【図７】本発明の実施形態に係る特定コンテンツ特典の一例を説明する図である。
【図８】本発明の実施形態に係る特定コンテンツ特典情報の一例を説明する図である。
【図９】本発明の実施形態に係る特典付与システムが実行する特典付与処理フローを示す図である。
【発明を実施するための形態】
【００１６】
以下、添付図面を参照して、本発明を実施するための形態（以下、実施形態）について詳細に説明する。以降の図においては、実施形態の説明の全体を通して同じ要素には同じ番号又は符号を付している。また、機能構成の図において、機能ブロック間の矢印は、データの流れ方向、又は処理の流れ方向を表す。
【００１７】
（基本概念／基本構成）
図１は、本発明の実施形態に係る特典付与システムの基本構成の概念を示す図である。特典付与システム１は、特定のユーザに視聴され又は読まれている特定コンテンツに関連した特定カードの一例である特定クレジットカードを利用した特定のユーザに、特定コンテンツに関連した特典である特定コンテンツ特典を付与するシステムである。ここで、本実施形態において、特定コンテンツには、アニメーション（以下、「アニメ」とも言う）、ドラマ、映画、ゲーム、小説、漫画等の多数のユーザに視聴され又は読まれているコンテンツが含まれる。以下の説明では、特定コンテンツの１つであるアニメを例に説明する。また、特定のユーザとは、特定コンテンツを視聴し又は読んでいるユーザであり、例えば、特定コンテンツのファンと呼ばれる者である。また、本実施形態の説明では、カードの一例としてクレジットカードを例に説明するが、本発明は、クレジットカードに限らず、クレジットカードを、キャッシュカード、ポストペイ型又はプリペイド型のカードである交通系カード、石油会社系カード、通信会社系カード等に置き換えても利用額とコンテンツ内容を連動させることにおいて応用可能である。
【００１８】
特典付与システム１は、クレジットカード会社に管理され、クレジットカードを利用したユーザに特典を付与する特典付与サーバ１０と、特定のユーザに使用されるユーザ端末２０と、を備える。
【００１９】
特典付与システム１において、クレジットカード会社は、アニメの著作権を有するアニメ制作会社等と提携し、このアニメに関連した特定クレジットカードを発行する。クレジットカード会社が管理する特典付与サーバ１０は、特定クレジットカードの発行を希望する特定のユーザに特定クレジットカードを発行する。なお、特典付与サーバ１０は、特定クレジットカードを、アニメに関するアンケート結果を示すデータや、アニメ制作会社等から提供されたアニメのファンクラブの名簿等のデータが示すこのアニメのファンを特定のユーザとして抽出し、抽出した特定のユーザに発行してもよい。
【００２０】
また、本実施形態において、特定クレジットカードは、公知の磁気ストライプカードで構成してもよいし、表示手段として薄型のディスプレイ（例えば、公知の有機エレクトロルミネッセンスディスプレイ等）と、表示手段を制御する制御手段と、を備え、制御手段の制御により、表示手段において、一般的なクレジットカードと同様の表示である通常画面と、特定コンテンツに関連する表示（例えば、特定コンテンツの名称やキャラクタの表示）である特定画面と、を切り替えてもよい。これにより、特定のユーザは、特定クレジットカードを、一般的なクレジットカードと同様の使用が可能であるとともに、自己の趣向を個人的に楽しむことができる。
【００２１】
また、特典付与サーバ１０は、例えば、特定のユーザによる特定クレジットカードの利用に応じて（図１に示す例では、特定クレジットカードの利用額が所定金額以上の場合）、特定コンテンツに関連した特典である特定コンテンツ特典を、特定のユーザに付与する。特定コンテンツ特典は、特定コンテンツであるアニメに関連した画像、音声、ストーリ、スマートフォン等において実行されるアプリケーション（以下、「アプリ」とも言う）等である。特典付与サーバ１０は、例えば、この特定コンテンツ特典のデータ（図１に示す例では、アニメに関するイラストの画像データ）を、特定のユーザのユーザ端末２０に送信する。
【００２２】
このように特典付与システム１は、特定コンテンツを有するアニメのファンである特定のユーザに、このアニメに関連した特定クレジットカードを発行し、特定クレジットカードの利用に応じて、このアニメに関連した特典である特定コンテンツ特典を、特定のユーザに付与する。これにより、特定コンテンツ特典は特定のユーザにとって価値が高いものとなり、特定のユーザが特定コンテンツ特典を得るために特定クレジットカードを積極的に利用することが期待できる。したがって、特典付与システム１によれば、ユーザにとって価値の有る特典を付与することで、クレジットカードの利用を促進可能となる。
【００２３】
（機能構成）
図２は、本発明の実施形態に係る特典付与システムにおける特典付与サーバ及びユーザ端末の機能構成を示す図である。特典付与システム１は、クレジットカードを利用したユーザに特典を付与する特典付与サーバ１０と、特典付与サーバ１０にネットワークを介して接続されたユーザ端末２０と、を備える。
【００２４】
特典付与サーバ１０は、発行手段１０１と、利用状況判定手段１０２と、特典付与手段１０３と、特典情報生成手段１０４と、送信手段１０５と、ユーザ情報データベース（ユーザ情報ＤＢ）１１０と、特定コンテンツ特典データベース（特定コンテンツ特典ＤＢ）１２０と、を備える。
【００２５】
発行手段１０１は、特定のユーザに視聴され又は読まれている特定コンテンツに関連した特定クレジットカードを、特定のユーザに発行する。具体的には、発行手段１０１は、特定クレジットカードの発行を希望する特定のユーザや、特定コンテンツの一例であるアニメに関するアンケート結果を示すデータや、アニメ制作会社等から提供されたアニメのファンクラブの名簿等のデータが示すこのアニメのファンを特定のユーザとして抽出し、抽出した特定のユーザに、特定クレジットカードのクレジットカード番号を付与する。
【００２６】
より詳細には、発行手段１０１は、例えば、あるユーザのユーザ端末２０から送信されたクレジットカードの発行を依頼するクレジットカード発行依頼情報に、あるアニメのファンであり、このアニメに関連する特定クレジットカードの発行を希望することを示す特定クレジットカード希望情報が含まれていた場合に、このユーザを特定のユーザと判断し、このユーザを識別するユーザ識別情報に、特定クレジットカードのクレジットカード番号を対応付けてユーザ情報ＤＢ１１０に記憶する。
【００２７】
また、特定クレジットカードは、１つの特定クレジットカードに１種類の特定コンテンツが対応付けられたものに限らず、１つの特定クレジットカードに複数種類の特定コンテンツを対応付けてもよい。この場合、発行手段１０１は、ユーザ識別情報に、特定クレジットカードのクレジットカード番号、特定コンテンツの種類を示す特定コンテンツ種類情報を対応付けてユーザ情報ＤＢ１１０に記憶する。このようなユーザ情報ＤＢ１１０は、カードと特定コンテンツ対応表として機能し、ユーザやカード番号で管理される。これにより、特定クレジットカードと特定コンテンツの組合せに自由度を持たせることが可能となる。
【００２８】
図３は、本発明の実施形態に係るユーザ情報ＤＢの一例を説明する図である。ユーザ情報ＤＢ１１０は、特定のユーザに関する情報であるユーザ情報を記憶するユーザ情報記憶手段の一例であり、特定のユーザを識別するユーザ識別情報に、特定クレジットカードのクレジットカード番号及び利用履歴情報を対応付けて記憶する。ユーザ識別情報には、ユーザの名前、暗証番号を示す情報が含まれる。また、利用履歴情報には、特定クレジットカードが利用された日時を示す日時情報と、特定クレジットカードが利用された加盟店を示す加盟店情報と、特定クレジットカードの利用により実際に決済された金額である決済金額を示す利用金額情報と、支払回数を示す支払回数情報と、特定クレジットカードの利用により購入された商品名を示す商品名情報と、特定クレジットカードが利用された位置である利用位置を示す利用位置情報と、を対応付けて記憶する。なお、特典付与サーバ１０は、特定クレジットカードが利用されたときに、例えば、加盟店が管理する加盟店サーバから送信され、クレジットカードによる決済を要求する決済要求情報に基づき、日時情報、加盟店情報、利用金額情報（決済金額情報）、支払回数情報及び商品名情報をユーザ情報ＤＢ１１０に記憶する。また、特典付与サーバ１０は、例えば、加盟店の登録住所、加盟店サーバの位置情報、ユーザ端末２０の位置情報等に基づき、利用位置情報をユーザ情報ＤＢ１１０に記憶する。
【００２９】
図２に戻って、利用状況判定手段１０２は、所定時（例えば、月末、月初、任意の時であって特定コンテンツ特典を付与するタイミング等）に、ユーザ情報ＤＢ１１０（図３参照）を参照して、特定のユーザごとの利用状況を示す利用状況情報を生成する。利用状況情報には、利用履歴情報の日時情報、利用金額情報、商品名情報及び利用位置情報に加え、前回の所定時から次の所定時までの期間における、決済金額の合計金額を示す合計金額情報が含まれる。
【００３０】
特典付与手段１０３は、特定のユーザに、特定クレジットカードの利用に応じて、特定コンテンツに関連した特典である特定コンテンツ特典を付与する。詳細には、特典付与手段１０３は、特定のユーザごとに、利用状況判定手段１０２が生成した利用状況情報に基づき、特定コンテンツ特典ＤＢ１２０を参照して、この特定のユーザに付与する特定コンテンツ特典を抽出する。
【００３１】
図４は、本発明の実施形態に係る特定コンテンツ特典ＤＢの一例を説明する図である。特定コンテンツ特典ＤＢ１２０は、特定クレジットカードの利用状況を規定する複数種類の付与条件に、それぞれ異なる特定コンテンツ特典が対応付けられている。
【００３２】
付与条件には、所定期間における特定クレジットカードの利用金額の合計である合計利用金額を規定する合計金額条件、特定クレジットカードを利用した日時を規定する利用日時条件、特定クレジットカードを利用した場所を規定する利用場所条件等が含まれる。また、付与条件には、図４に示す例の他、例えば、特定クレジットカードを利用し購入した商品を規定する商品条件等を含めてもよい。
【００３３】
特定コンテンツ特典は、合計金額条件に対しては合計金額が大きいほど、特定のユーザにとってより価値が高いものが対応付けられている。
【００３４】
また、特定コンテンツ特典は、利用日時条件に対しては所定期間（図３に示す例では８月１日から８月３１日）の各日に、所定の特定コンテンツ特典（例えば、キャラクタの上半身のイラスト）を所定期間の総日数で分割したものが対応付けられている。すなわち、特定のユーザは、所定期間中毎日、特定クレジットカードを利用することで、所定の特定コンテンツ特典を完成させることができる。
【００３５】
また、特定コンテンツ特典ＤＢ１２０では、利用日時条件として、特典コンテンツに関連する日時（図４に示す例では特典コンテンツに登場するキャラクタの誕生日）を設定し、この利用日時条件に特定のユーザにとってより価値が高いもの（図４に示す例では、例えば、ユーザ端末２０で実行されるアプリであり、通話等の声によるコミュニケーション時に、特定のユーザや相手側の声を特典コンテンツに登場するキャラクタの声に変換するアプリ）が対応付けられている。
【００３６】
また、特定コンテンツ特典ＤＢ１２０では、利用場所条件として、特典コンテンツに関連する場所（図４に示す例では特典コンテンツのロケ地）を設定し、この利用場所条件に特定のユーザにとってより価値が高いもの（図４に示す例では、キャラクタの背景がロケ地のイラスト）が対応付けられている。また、特定コンテンツ特典ＤＢ１２０では、利用場所条件として、任意の複数の場所を設定し、これらの任意の複数の場所全てに対して１つの特定コンテンツ特典を対応付けてもよい。この場合、特定のユーザは、任意の複数の場所全てで特定クレジットカードを利用することで、上記１つの特定コンテンツ特典を得ることができる。
【００３７】
図５、図６及び図７は、本発明の実施形態に係る特定コンテンツ特典の一例を説明する図である。特典付与手段１０３による特定コンテンツ特典の付与について、図３に示す例を用いて具体的に説明する。図３に示す例において、特定のユーザである「ｘｘｘｘｘＨＡＮＡＫＯ」は、所定期間（例えば、２０１５年８月１日から８月３１日）における２０１５年８月１日時点の合計利用金額が、１，１８０円である。この場合、特典付与手段１０３は、図４に示す特定コンテンツ特典ＤＢ１２０を参照し、「ｘｘｘｘｘＨＡＮＡＫＯ」に付与する特定コンテンツ特典として、合計金額条件（合計金額が１，０００円以上）に対応付けられたキャラクタの顔部分だけのイラスト（図５参照）の画像データを抽出する。
【００３８】
また、図３に示す例において、特定のユーザである「ｘｘｘｘｘＨＡＮＡＫＯ」は、所定期間（例えば、２０１５年８月１日から８月３１日）における２０１５年８月２日時点の合計利用金額が、５，６８０（１，１８０＋４，５００）円である。この場合、特典付与手段１０３は、図４に示す特定コンテンツ特典ＤＢ１２０を参照し、「ｘｘｘｘｘＨＡＮＡＫＯ」に付与する特定コンテンツ特典として、合計金額条件（合計金額が５，０００円以上）に対応付けられたキャラクタの上半身のイラスト（図６参照）の画像データを抽出する。
【００３９】
また、図３に示す例において、特定のユーザである「ｘｘｘｘｘＨＡＮＡＫＯ」は、所定期間（例えば、２０１５年８月１日から８月３１日）における２０１５年８月３１日時点の合計利用金額が、１０，０００円を超えている。この場合、特典付与手段１０３は、図４に示す特定コンテンツ特典ＤＢ１２０を参照し、「ｘｘｘｘｘＨＡＮＡＫＯ」に付与する特定コンテンツ特典として、合計金額条件（合計金額が１０，０００円以上）に対応付けられたキャラクタの上半身のイラストであって、キャラクタが、特定クレジットカードの利用により購入された商品（図３に示す例では「ｘ帽子」）を身に付けているイラスト（図７参照）の画像データを抽出する。また、特定のユーザである「ｘｘｘｘｘＨＡＮＡＫＯ」は、商品名「ｘ帽子」を、図４に示す特定コンテンツ特典ＤＢ１２０の利用場所条件である「特定コンテンツのロケ地（神奈川県）」で購入している。これにより、特典付与手段１０３は、図７に示す例において、特定コンテンツ特典として、キャラクタの背景がロケ地のイラストの画像データを抽出する。
【００４０】
このような特定コンテンツ特典ＤＢ１２０を参照して、特定のユーザに付与する特定コンテンツ特典を抽出する特典付与手段１０３は、特定のユーザによる特定クレジットカードの利用状況に応じて、特定コンテンツ特典の内容を変化させる特典付与手段の一例であり、ユーザ情報を関連させた特定コンテンツ特典を付与する特典付与手段の一例である。
【００４１】
図２に戻って、特典情報生成手段１０４は、特定のユーザに使用されるユーザ端末２０に、特定コンテンツ特典の内容を表示させるための特定コンテンツ特典情報を生成する。詳細には、特典情報生成手段１０４は、特定コンテンツ特典ＤＢ１２０を参照して、ユーザ端末２０において、所定期間（例えば、１月）を日割りされたカレンダ形式で特定コンテンツ特典の内容を表示可能な特定コンテンツ特典情報を生成する。
【００４２】
図８は、本発明の実施形態に係る特定コンテンツ特典情報の一例を説明する図である。図４に示す例において、特典情報生成手段１０４は、所定期間（８月１日から８月３１日）の利用日時条件にそれぞれ対応付けられた特定コンテンツ特典（キャラクタの上半身のイラストを３１等分した一部の画像データ）を抽出する。そして、特典情報生成手段１０４は、図８に示すように、これらの画像データをカレンダ形式で配列した画像データを生成する。この特定コンテンツ特典情報の画像データは、ユーザ端末２０に送信され、ユーザ端末２０で表示可能である。特定のユーザは、この特定コンテンツ特典情報により、所定期間中における特定コンテンツ特典を知ることができる。例えば、図８に示す例では、特定のユーザは、８月７，８，９，１４，１５，１６，２１，２２，２３日に、特定クレジットカードを利用することで、キャラクタの顔全体のイラストの画像データを得ることができる。
【００４３】
図２に戻って、送信手段１０５は、特典付与手段１０３により特定コンテンツ特典が付与された特定のユーザのユーザ端末２０に、この特定コンテンツ特典のデータを送信する。また、送信手段１０５は、特典情報生成手段１０４が生成した特定コンテンツ特典情報を、特定のユーザのユーザ端末２０に送信する。
【００４４】
ユーザ端末２０は、例えば、タブレット端末、パーソナルコンピュータ、スマートフォン等で構成され出力手段２０１と、入力手段２０２と、端末制御手段２０３と、を備える。出力手段２０１は、ディスプレイやスピーカで構成され、特典付与サーバ１０から受信した特定コンテンツ特典のデータに基づき、特定コンテンツ特典を出力する。入力手段２０２は、特定のユーザの操作を受け付ける。端末制御手段２０３は、入力手段２０２で受け付けた特定のユーザの操作に基づき、出力手段２０１に特定コンテンツ特典を出力する。
【００４５】
上記の本システムの機能構成は、あくまで一例であり、一つの機能ブロック（データベース及び機能処理部）を分割したり、複数の機能ブロックをまとめて一つの機能ブロックとして構成したりしてもよい。各機能処理部は、装置に内蔵されたＣＰＵ（Central  Processing  Unit）が、ＲＯＭ（Read  Only  Memory）、フラッシュメモリ、ＳＳＤ(Solid  State  Drive)、ハードディスク等の記憶装置に格納されたコンピュータ・プログラムを読み出し、ＣＰＵにより実行されたコンピュータ・プログラムによって実現される。すなわち、各機能処理部は、このコンピュータ・プログラムが、記憶装置に格納されたデータベース（ＤＢ;Data  Base)やメモリ上の記憶領域からテーブル等の必要なデータを読み書きし、場合によっては、関連するハードウェア（例えば、入出力装置、表示装置、通信インターフェース装置）を制御することによって実現される。また、本発明の実施形態におけるデータベース（ＤＢ）は、商用データベースであってよいが、単なるテーブルやファイルの集合体をも意味し、データベースの内部構造自体は問わないものとする。
【００４６】
（処理フロー）
以降の処理フロー図（フローチャート）においては、各ステップの入力と出力の関係を損なわない限り、各ステップの処理順序を入れ替えてもよい。
【００４７】
図９は、本発明の実施形態に係る特典付与システムが実行する特典付与処理フローを示す図である。ステップＳ１において、発行手段１０１は、特定クレジットカードを、特定のユーザに発行する。詳細には、発行手段１０１は、特定のユーザとして抽出し、抽出した特定のユーザに、特定クレジットカードのクレジットカード番号を付与する。
【００４８】
ステップＳ２において、特典情報生成手段１０４は、特定コンテンツ特典ＤＢ１２０を参照して、特定コンテンツ特典情報を生成する。
【００４９】
ステップＳ３において、送信手段１０５は、ステップＳ２で特典情報生成手段１０４が生成した特定コンテンツ特典情報を、特定のユーザのユーザ端末２０に送信する。
【００５０】
ステップＳ４において、利用状況判定手段１０２は、所定時に、ユーザ情報ＤＢ１１０を参照して、特定のユーザごとの利用状況を示す利用状況情報を生成する。
【００５１】
ステップＳ５において、特典付与手段１０３は、特定のユーザに、特定クレジットカードの利用に応じて、特定コンテンツ特典を付与する。詳細には、特典付与手段１０３は、特定のユーザごとに、ステップＳ４で利用状況判定手段１０２が生成した利用状況情報に基づき、特定コンテンツ特典ＤＢ１２０を参照して、この特定のユーザに付与する特定コンテンツ特典を抽出する。
【００５２】
ステップＳ６において、送信手段１０５は、ステップＳ５で特典付与手段１０３により特定コンテンツ特典が付与された特定のユーザのユーザ端末２０に、この特定コンテンツ特典のデータを送信する。
【００５３】
（実施形態の効果）
本システムによれば、クレジットカードを利用したユーザに特典を付与する特典付与サーバ１０は、発行手段１０１と、特典付与手段１０３と、を備える。発行手段１０１は、特定のユーザに視聴され又は読まれている特定コンテンツに関連した特定クレジットカードを、特定のユーザに発行する。特典付与手段１０３は、特定のユーザに、特定クレジットカードの利用に応じて、特定コンテンツに関連した特典である特定コンテンツ特典を付与する。これにより、特定コンテンツ（例えば、特定のアニメ）のファンである特定のユーザに、この特定コンテンツに関連した特定クレジットカードを発行し、特定クレジットカードの利用に応じて、この特定コンテンツに関連した特典である特定コンテンツ特典を、特定のユーザに付与する。これにより、特定コンテンツ特典は特定のユーザにとって価値が高いものとなり、特定のユーザが特定コンテンツ特典を得るために特定クレジットカードを積極的に利用することが期待できる。したがって、特典付与サーバ１０によれば、ユーザにとって価値の有る特典を付与することで、クレジットカードの利用を促進可能となる。
【００５４】
また、特典付与手段１０３は、特定のユーザによる特定クレジットカードの利用状況に応じて、特定コンテンツ特典の内容を変化させる。これにより、特定のユーザは、特定クレジットカードを様々な状況で利用することで、より多様な内容の特定コンテンツ特典を得ることができる。よって、特定クレジットカードをより積極的に利用することが期待できる。したがって、特典付与サーバ１０によれば、ユーザにとって価値の有る特典を付与することで、クレジットカードの利用をより促進可能となる。
【００５５】
また、特典付与手段１０３は、特定のユーザに関する情報であるユーザ情報を関連させた特定コンテンツ特典を付与する。これにより、特定のユーザは、自己の情報（例えば、特定クレジットカードの利用履歴情報）が反映された特定コンテンツ特典（例えば、特定クレジットカードにより購入した帽子を、特定コンテンツであるアニメのキャラクタが身に付けているイラストの画像データ）を得ることができ、特定コンテンツの世界観に浸ることも可能となる。よって、特定クレジットカードをより積極的に利用することが期待できる。したがって、特典付与サーバ１０によれば、ユーザにとって価値の有る特典を付与することで、クレジットカードの利用をより促進可能となる。
【００５６】
また、特典付与サーバ１０は、特定のユーザに使用されるユーザ端末２０に、特定コンテンツ特典の内容を表示させるための特定コンテンツ特典情報を生成する特典情報生成手段１０４を、更に備える。特典情報生成手段１０４は、ユーザ端末２０において、カレンダ形式で特定コンテンツ特典の内容を表示可能な特定コンテンツ特典情報を生成する。これにより、特定のユーザは、特定コンテンツ特典情報により、ユーザ端末２０にカレンダ形式で表示された特定コンテンツ特典の内容を確認することで、いつ特定クレジットカードを利用すれば、どのような特定コンテンツ特典を得られるかを知ることができる。例えば、特定のユーザは、特定コンテンツ特典情報による表示において未取得の特定コンテンツ特典があった場合、クレジットカードの利用予定が無くとも、未取得の特定コンテンツ特典が付与される時に、特定クレジットカードを利用することで、未取得の特定コンテンツ特典を得ることができる。よって、特定クレジットカードをより積極的に利用することが期待できる。したがって、特典付与サーバ１０によれば、ユーザにとって価値の有る特典を付与することで、クレジットカードの利用をより促進可能となる。
【００５７】
以上、実施形態を用いて本発明を説明したが、本発明の技術的範囲は上記実施形態に記載の範囲に限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【００５８】
なお、上記の実施形態では、本発明を物の発明として、特典付与サーバ（特典付与システム）について説明したが、本発明は、方法の発明（特典付与方法）又はコンピュータ・プログラムの発明（特典付与プログラム）としても捉えることもできる。
【符号の説明】
【００５９】
１      特典付与システム
１０    特典付与サーバ
２０    ユーザ端末
１０１  発行手段
１０２  利用状況判定手段
１０３  特典付与手段
１０４  特典情報生成手段
１０５  送信手段
１１０  ユーザ情報ＤＢ
１２０  特定コンテンツ特典ＤＢ
２０１  出力手段
２０２  入力手段
２０３  端末制御手段
【図１】
2017068421.tif 000003
【図２】
2017068421.tif 000004
【図３】
2017068421.tif 000005
【図４】
2017068421.tif 000006
【図５】
2017068421.tif 000007
【図６】
2017068421.tif 000008
【図７】
2017068421.tif 000009
【図８】
2017068421.tif 000010
【図９】
2017068421.tif 000011